(57)【特許請求の範囲】
【請求項１】
片面に複数のブラシ歯を立設したブラシ台を備え、該ブラシ台のブラシ歯立設側に毛髪化粧料を付着させて髪を梳くことにより毛髪を化粧処理する毛髪化粧料用ブラシであって、
前記ブラシ歯をブラシ台の両側では長さ方向に沿って配列して側部ブラシ列を形成するとともに、ブラシ台の両端ではブラシ台の幅方向に沿って配列して端部ブラシ列を形成し、両側部ブラシ列と両端部ブラシ列との間に毛髪化粧料を付着させるための連続空間部を有する薬剤保持部を設け、該薬剤保持部は前記ブラシ歯が立設されずに前記ブラシ台の面が露出してなり、その薬剤保持部の幅が１０〜１８ｍｍであり、前記ブラシ台の先端側に位置する端部ブラシ列は、前記ブラシ台のブラシ歯立設側の面であって前記薬剤保持部を形成する面に対して斜め外方に延びるとともに前記ブラシ台の先端方向に傾斜してなり、同端部ブラシ列が前記薬剤保持部の先端縁を形成してなることを特徴とする毛髪化粧料用ブラシ。
【請求項２】
前記薬剤保持部の幅が２個のエアゾール容器の内容物を混合して１つの吐出部から同時に吐出する２剤吐出容器の吐出部の幅よりも大きくなるように設定されている請求項１に記載の毛髪化粧料用ブラシ。
【請求項３】
片面に複数のブラシ歯を立設したブラシ台を備え、該ブラシ台のブラシ歯立設側に毛髪化粧料を付着させて髪を梳くことにより毛髪を化粧処理する毛髪化粧料用ブラシの使用方法であって、
前記ブラシ歯をブラシ台の両側では長さ方向に沿って配列して側部ブラシ列を形成するとともに、ブラシ台の両端ではブラシ台の幅方向に沿って配列して端部ブラシ列を形成し、両側部ブラシ列と両端部ブラシ列との間に毛髪化粧料を付着させるための連続空間部を有する薬剤保持部を設け、該薬剤保持部は前記ブラシ歯が立設されずに前記ブラシ台の面が露出してなり、その薬剤保持部の幅が１０〜１８ｍｍであり、前記ブラシ台の先端側に位置する端部ブラシ列は、前記ブラシ台のブラシ歯立設側の面であって前記薬剤保持部を形成する面に対して斜め外方に延びるとともに前記ブラシ台の先端方向に傾斜してなり、同端部ブラシ列が前記薬剤保持部の先端縁を形成してなり、前記薬剤保持部の幅が２個のエアゾール容器の内容物を混合して１つの吐出部から同時に吐出する２剤吐出容器の吐出部の幅よりも大きくなるように設定されており、
前記薬剤保持部に２剤吐出容器の吐出部を挿入して、その吐出部先端に設けられた吐出口から毛髪化粧料を吐出させ毛髪化粧料用ブラシの薬剤保持部に毛髪化粧料を付着させ、その後毛髪を梳くことを特徴とする毛髪化粧料用ブラシの使用方法。
【発明の詳細な説明】
【０００１】
【発明の属する技術分野】
本発明は、クリーム状やフォーム状の染毛剤、ヘアマニキュア、整髪料等を毛髪に塗布する際に使用される毛髪化粧料用ブラシ及びその使用方法に関するものである。
【０００２】
【従来の技術】
従来の毛髪化粧料用ブラシとしては、実開平４−５６０２２号公報に記載の毛染め用ブラシが知られている。この毛染め用ブラシは、下面に複数の円柱形のブラシ歯を立設した平面長四角形状のブラシ台を備えている。ブラシ台の下面両側には複数のブラシ歯がブラシ台の長手方向に沿って立設されることによって、一対のブラシ歯外列が形成されている。同様に、ブラシ台の中央部には長手方向に沿ってブラシ歯中央列が形成されている。これに伴って、ブラシ歯外列とブラシ歯中央列の間にはブラシ台の長手方向に沿って一対の薬剤保持部が形成されている。そして、これらの薬剤保持部にはペースト状の２剤型の染毛剤を並列に付着できるようになっている。
【０００３】
【発明が解決しようとする課題】
ところが、前記従来の毛髪化粧料用ブラシでは、ブラシ歯の直径が１．７ｍｍと記載されており、このブラシ歯の直径から薬剤保持部の幅を図面によって算定すると、その幅は４〜５ｍｍと狭く形成されている。そのため、チューブや容器から薬剤保持部に薬剤を載せる際、チューブや容器の吐出部が薬剤保持部に挿入できないという問題があった。
【０００４】
すなわち、前記従来の毛髪化粧料用ブラシでは、チューブや容器から薬剤を載せる際、吐出口がブラシ歯に当たりスムーズに薬剤を載せて付着させることができないという問題があった。
【０００５】
本発明は、上記従来技術に存在する問題点に着目してなされたものである。その目的とするところは、チューブや容器の吐出部が薬剤保持部に挿入でき、スムーズに薬剤をブラシ上に載せて付着させることができる毛髪化粧料用ブラシ及びその使用方法を提供することにある。
【０００６】
【課題を解決するための手段】
上記の目的を達成するために請求項１に記載の発明の毛髪化粧料用ブラシは、片面に複数のブラシ歯を立設したブラシ台を備え、該ブラシ台のブラシ歯立設側に毛髪化粧料を付着させて髪を梳くことにより毛髪を化粧処理する毛髪化粧料用ブラシであって、前記ブラシ歯をブラシ台の両側では長さ方向に沿って配列して側部ブラシ列を形成するとともに、ブラシ台の両端ではブラシ台の幅方向に沿って配列して端部ブラシ列を形成し、両側部ブラシ列と両端部ブラシ列との間に毛髪化粧料を付着させるための連続空間部を有する薬剤保持部を設け、該薬剤保持部は前記ブラシ歯が立設されずに前記ブラシ台の面が露出してなり、その薬剤保持部の幅が１０〜１８ｍｍであり、前記ブラシ台の先端側に位置する端部ブラシ列は、前記ブラシ台のブラシ歯立設側の面であって前記薬剤保持部を形成する面に対して斜め外方に延びるとともに前記ブラシ台の先端方向に傾斜してなり、同端部ブラシ列が前記薬剤保持部の先端縁を形成してなるものである。
【０００８】
請求項２に記載の発明の毛髪化粧料用ブラシは、請求項１に記載の発明において、前記薬剤保持部の幅が２個のエアゾール容器の内容物を混合して１つの吐出部から同時に吐出する２剤吐出容器の吐出部の幅よりも大きくなるように設定されているものである。
【０００９】
請求項３に記載の発明の毛髪化粧料用ブラシの使用方法は、片面に複数のブラシ歯を立設したブラシ台を備え、該ブラシ台のブラシ歯立設側に毛髪化粧料を付着させて髪を梳くことにより毛髪を化粧処理する毛髪化粧料用ブラシの使用方法であって、前記ブラシ歯をブラシ台の両側では長さ方向に沿って配列して側部ブラシ列を形成するとともに、ブラシ台の両端ではブラシ台の幅方向に沿って配列して端部ブラシ列を形成し、両側部ブラシ列と両端部ブラシ列との間に毛髪化粧料を付着させるための連続空間部を有する薬剤保持部を設け、該薬剤保持部は前記ブラシ歯が立設されずに前記ブラシ台の面が露出してなり、その薬剤保持部の幅が１０〜１８ｍｍであり、前記ブラシ台の先端側に位置する端部ブラシ列は、前記ブラシ台のブラシ歯立設側の面であって前記薬剤保持部を形成する面に対して斜め外方に延びるとともに前記ブラシ台の先端方向に傾斜してなり、同端部ブラシ列が前記薬剤保持部の先端縁を形成してなり、前記薬剤保持部の幅が２個のエアゾール容器の内容物を混合して１つの吐出部から同時に吐出する２剤吐出容器の吐出部の幅よりも大きくなるように設定されており、前記薬剤保持部に２剤吐出容器の吐出部を挿入して、吐出部先端に設けられた吐出口から毛髪化粧料を吐出させ毛髪化粧料用ブラシの薬剤保持部に毛髪化粧料を付着させ、その後毛髪を梳くものである。
【００１０】
【発明の実施の形態】
以下、本発明を染毛剤用ブラシに具体化した実施形態を図１〜図１０に従って説明する。
【００１１】
図１〜図３に示すように毛髪化粧料用ブラシ１１は、長四角板状のブラシ台１２と細長四角柱状のブラシ柄１３とそれらを連結する連結部１４とから構成され、合成樹脂により一体成形されている。この合成樹脂としては、ＰＰ（ポリプロピレン）、ＬＬＤＰＥ（直鎖状低密度ポリエチレン）、ＬＤＰＥ（低密度ポリエチレン）、ＭＤＰＥ（中密度ポリエチレン）、ＨＤＰＥ（高密度ポリエチレン）、ＡＢＳ（アクリロ二トリル・スチレン共重合体とアクリロニトリル・ブタジエン共重合体を混合したもの）、ＡＳ（アクリロニトリル・スチレン共重合体）、ＰＳ（ポリスチレン）、ＰＣ（ポリカーボネート）及びそれらを混合したもの等が使用される。
【００１２】
図４に示すように、ブラシ台１２の下面（図４では上面）は短手方向に丸みを帯びており、上面は断面略楕円状の凹部１５が形成されている。そして、ブラシ台１２の下面には、複数の円柱状のブラシ歯１６が立設されており、それらのブラシ歯１６の先端は半球状をなしている。
【００１３】
図１及び図２に示すように、ブラシ台１２の下面両側には、複数のブラシ歯１６が長手方向に一定間隔で列をなす一対の側部ブラシ列が設けられている。この側部ブラシ列は、最も両側縁側に設けられている一対の第１側部ブラシ列１７、第１側部ブラシ列１７の内側に設けられている一対の第２側部ブラシ列１８、さらに第２側部ブラシ列１８の内側に設けられている一対の第３側部ブラシ列１９により構成されている。
【００１４】
そして、ブラシ台１２の下面両端には複数のブラシ歯１６が短手方向に一定間隔で列をなす一対の端部ブラシ列が設けられている。基端側に位置する端部ブラシ列は、最も基端側に設けられている第１端部ブラシ列２０と、第１端部ブラシ列２０の内側に設けられている第２端部ブラシ列２１とから構成されている。先端側に位置する端部ブラシ列は、最も先端側に設けられている第３端部ブラシ列２２と、第３端部ブラシ列２２の内側に設けられている第４端部ブラシ列２３とにより構成されている。
【００１５】
先端部に設けられた第３端部ブラシ列２２及び第４端部ブラシ列２３はブラシ台１２の下面に対して斜め外方に延びるように立設されている。第３端部ブラシ列２２及び第４端部ブラシ列２３を構成するブラシ歯１６は、側部ブラシ列及び基端側に位置する端部ブラシ列のブラシ歯１６より細径かつ密になっている。
【００１６】
各ブラシ歯１６は、その先端がブラシ台１２の下面と略平行な面をなすようにすべて揃えられ、第２端部ブラシ列２１の中心に位置するブラシ歯１６の長さは６ｍｍに設定されている。
【００１７】
一対の第３側部ブラシ列１９、第２端部ブラシ列２１及び第４端部ブラシ列２３の間には略長四角箱状の連続空間部を有する薬剤保持部２４が形成されている。この薬剤保持部２４にはクリーム状やフォーム状の染毛剤、ヘアマニキュア、整髪料等を載せることができる。そして、一対の第３側部ブラシ列１９の間隔（図４に示すＬ）、つまり薬剤保持部２４の幅は１０〜１８ｍｍに設定され、好ましくは１０〜１６ｍｍである。１０ｍｍ未満では薬剤の保持量が少なくなるため染毛性が悪くなり、１８ｍｍを超えると薬剤が垂れ落ちる心配がある。
【００１８】
図３及び図５に示すように、ブラシ台１２の基端部中央には、ブラシ柄１３と連結するための連結部１４がブラシ台１２の上面に対して略直角に立設されている。連結部１４の上面には断面Ｕ字状の凹部２５が形成されている。
【００１９】
連結部１４のブラシ台１２とは反対側には、端部が丸みを帯びた細長四角柱状のブラシ柄１３が延設され、ブラシ柄１３の上面はブラシ台１２の上面と一定の角度をなしている。そして、ブラシ柄１３の上面は連結部１４の凹部２５とつながる断面Ｕ字状の凹部２６が形成されている。
【００２０】
２剤吐出容器は、具体例として特開平１１−１９８９７５号公報及び特開２０００−１０９１５０号公報に示すものが挙げられる。図６に示すように、この２剤吐出容器２７は、略楕円筒状の胴体部２８が設けられ、その上部には略楕円筒状の操作部２９が形成されている。この操作部２９の上部背面側には半月状のレバー３０が設けられ、レバー３０と反対側には吐出部としての細い略楕円筒状のノズル３１が突設されている。
【００２１】
ノズル３１の先端には、図６に示すように略楕円状の吐出口３２が形成されているが、図８（ａ）に示すように、吐出口３２はノズル３１の先端部の上面がさらに切欠き形成された吐出口３３や図８（ｂ）に示すように、端面が隠蔽され先端部上面が切欠き形成された吐出口３４でもよい。一方、毛髪化粧料用ブラシ１１の薬剤保持部２４の幅は、ノズル３１の先端部の幅より広く構成されている。従って、図７に示すように、ノズル３１の先端部は薬剤保持部２４に挿入できるようになっている。
【００２２】
２剤吐出容器２７の胴体部２８には、図示しない２個のエアゾール容器が内装されており、これらのエアゾール容器には染毛剤の第１液及び第２液が充填されている。そして、レバー３０を押し下げるとノズル３１の吐出口３２から染毛剤の第１液及び第２液が混合された状態でクリーム状の染毛剤が吐出されるようになっている。
【００２３】
さて、毛髪化粧料用ブラシ１１を使用して２剤吐出容器２７から吐出される染毛剤を毛髪に塗布する場合には、図７及び図９に示すように毛髪化粧料用ブラシ１１のブラシ歯立設面を上に向けて２剤吐出容器２７を平行に位置させる。次に、毛髪化粧料用ブラシ１１の薬剤保持部２４の先端側に２剤吐出容器２７のノズル３１の先端部を挿入する。そして、レバー３０を押し下げるとクリーム状の染毛剤３５が吐出口３２から吐出する。このとき、２剤吐出容器２７を毛髪化粧料用ブラシ１１と平行に保ちながら基端方向に移動させる。すると、染毛剤３５を薬剤保持部２４に載せて付着させることができ、その染毛剤３５は一対の第３側部ブラシ列１９に挟まれるように保持される。
【００２４】
そして、図９及び図１０に示すように染毛剤３５が保持された毛髪化粧料用ブラシ１１で毛髪３６を梳くことによって染毛剤３５を毛髪３６に付着させることができる。さらに、第３端部ブラシ列２２及び第４端部ブラシ列２３で毛髪３６の鬢３７や生え際３８の部分を梳くことによって染毛剤３５を鬢３７や生え際３８に付着させることができる。
【００２５】
本実施形態によって発揮される効果について、以下に記載する。
・この実施形態の毛髪化粧料用ブラシにおいては、一対の第３側部ブラシ列１９の間隔は、１０〜１８ｍｍに設定されている。これにより、２剤吐出容器２７のノズル３１が薬剤保持部２４に挿入でき、スムーズに染毛剤３５をブラシ上に載せて付着させることができる。
【００２６】
・この実施形態の毛髪化粧料用ブラシにおいては、第３端部ブラシ列２２と第４端部ブラシ列２３がブラシ台１２の下面に対して斜め外方に延びるように立設されている。この構成によれば、毛髪３６の鬢３７や生え際３８の部分に染毛剤３５を容易に塗布することができる。
【００２７】
・この実施形態の毛髪化粧料用ブラシにおいては、毛髪化粧料用ブラシ１１の薬剤保持部２４の幅が２剤吐出容器２７のノズル３１の先端部の幅より広く構成されている。このため、２剤吐出容器２７と毛髪化粧料用ブラシ１１をセットで使用することができる。
【００２８】
・この実施形態の毛髪化粧料用ブラシの使用方法においては、毛髪化粧料用ブラシ１１の薬剤保持部２４に２剤吐出容器２７のノズル３１を挿入して、２剤吐出容器２７の吐出口３２から染毛剤３５を吐出させ毛髪化粧料用ブラシ１１の薬剤保持部２４に染毛剤３５を付着させ、その後、毛髪３６を梳いている。この使用方法によると、毛髪３６に染毛剤３５を容易に塗布することができる。
【００２９】
・この実施形態の毛髪化粧料用ブラシにおいては、第１側部ブラシ列１７、第２側部ブラシ列１８及び第３側部ブラシ列１９が千鳥状に配置されている。これによって、薬剤保持部２４に載置された染毛剤３５がブラシ台からこぼれ落ちるのを防ぐことができる。
【００３０】
なお、前記実施形態を次のように変更して具体化することも可能である。
・前記実施形態では、第３側部ブラシ列１９が直線状に配列されていたが、例えばブラシ台１２の長手方向に対して斜め状、ジグザク状、Ｓ字状に配列されていてもよい。
【００３１】
・前記実施形態では側部ブラシ列は３列のブラシ列が対になって形成されていたが、２列又は４列以上のブラシ列が対になって形成されてもよい。
・図１２（ａ）、（ｂ）に示すように、２剤吐出容器のノズル３９の先端部の吐出口は、端面と両側面が開口した吐出口４０でもよく、さらに、先端部の両側面が開口して端面が隠蔽された吐出口４１でもよい。この構成によれば、フォーム状の染毛剤の場合、図１１に示すように、吐出口４０から吐出し易くなり、染毛剤４２を毛髪化粧料用ブラシ１１の薬剤保持部２４に載せる際、第２側部ブラシ列１８と第３側部ブラシ列１９で染毛剤４２を保持することができる。
【００３２】
・図１３に示すように、第１側部ブラシ列１７、第２側部ブラシ列１８及び第３側部ブラシ列１９から構成される側部ブラシ列は、ブラシ台１２の下面に対して垂直方向に延びるように立設されてもよい。さらに、第１端部ブラシ列２０及び第２端部ブラシ列２１から構成される基端側に位置する端部ブラシ列（図示せず）も同様に、ブラシ台１２の下面に対して垂直方向に延びるように立設されてもよい。
【００３３】
・この実施形態の毛髪化粧料用ブラシは、染毛剤用ブラシとして使用しているが、ヘアマニキュア、脱色剤、整髪料等の他の毛髪化粧料用として使用してもよい。
【００３４】
次に、上記実施形態及び別例から把握できる技術的思想について以下に記載する。
・前記両側部ブラシ列は、複数のブラシ列が各一対になって形成されている毛髪化粧料用ブラシ。この構成によれば、先端部の側面が開口したノズルを使用した際に、染毛剤の保持を行うことができる。
【００３５】
・前記ブラシ台の先端側に位置する端部ブラシ列を構成するブラシ歯が、基端側に位置するブラシ列を構成するブラシ歯及び側部ブラシ列を構成するブラシ歯より細径かつ密に形成されている毛髪化粧料用ブラシ。この構成によれば、毛髪の鬢や生え際の部分に毛髪化粧料をより容易に塗布することができる。
【００３６】
【発明の効果】
この発明は、以上のように構成されているため、次のような効果を奏する。
請求項１に記載の毛髪化粧料用ブラシによれば、チューブや容器の吐出部が薬剤保持部に挿入でき、スムーズに薬剤をブラシ上に載せて付着させることができる。
【００３７】
また、毛髪の鬢や生え際の部分に毛髪化粧料を容易に塗布することができる。
【００３８】
請求項２に記載の毛髪化粧料用ブラシによれば、請求項１に記載の発明の効果に加えて、２剤吐出容器と毛髪化粧料用ブラシをセットで使用することができる。
【００３９】
請求項３に記載の毛髪化粧料用ブラシの使用方法によれば、２剤吐出容器と毛髪化粧料用ブラシをセットで使用することができるとともに毛髪に毛髪化粧料を容易に塗布することができる。
【図面の簡単な説明】
【図１】  実施形態における毛髪化粧料用ブラシを示す斜視図。
【図２】  毛髪化粧料用ブラシを示す底面図。
【図３】  図２の３−３線における断面図。
【図４】  図２の４−４線における拡大断面図。
【図５】  毛髪化粧料用ブラシを示す平面図。
【図６】  ２剤吐出容器を示す斜視図。
【図７】  毛髪化粧料用ブラシに２剤吐出容器を使用した状態を示す拡大断面図。
【図８】  （ａ）及び（ｂ）は、２剤吐出容器のノズル先端部分を示す斜視図。
【図９】  毛髪化粧料用ブラシに２剤吐出容器を使用した状態を示す斜視図。
【図１０】  毛髪化粧料用ブラシの使用方法を示す説明図。
【図１１】  毛髪化粧料用ブラシに別例のノズルを使用した状態を示す拡大断面図。
【図１２】  （ａ）及び（ｂ）は、ノズル先端部分の別例を示す斜視図。
【図１３】  ブラシ歯の別例を示す拡大断面図。
【符号の説明】
１１…毛髪化粧料用ブラシ、１２…ブラシ台、１７…側部ブラシ列としての第１側部ブラシ列、１８…側部ブラシ列としての第２側部ブラシ列、１９…側部ブラシ列としての第３側部ブラシ列、２０…端部ブラシ列としての第１端部ブラシ列、２１…端部ブラシ列としての第２端部ブラシ列、２２…端部ブラシ列としての第３端部ブラシ列、２３…端部ブラシ列としての第４端部ブラシ列、２４…薬剤保持部、２７…２剤吐出容器、３１…吐出部としてのノズル、３２…吐出口、３５…毛髪化粧料としての染毛剤、３６…毛髪。
【図１】
0004088053.tif 000002
【図２】
0004088053.tif 000003
【図３】
0004088053.tif 000004
【図４】
0004088053.tif 000005
【図５】
0004088053.tif 000006
【図６】
0004088053.tif 000007
【図７】
0004088053.tif 000008
【図８】
0004088053.tif 000009
【図９】
0004088053.tif 000010
【図１０】
0004088053.tif 000011
【図１１】
0004088053.tif 000012
【図１２】
0004088053.tif 000013
【図１３】
0004088053.tif 000014